(57)【要約】【課題】  シートの取り出し前後で印刷状態の変化を確認できる印刷物を出力する。【解決手段】    シートに印刷を行う印刷手段と、要求されるジョブで印刷されたシートを積載する積載手段と、積載されたシートの取り出しを指示する指示手段と、取り出し指示を受け付けることに応じて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御手段と、を備えることを特徴とする。【選択図】  図１７
2014218043.tif 000002
【特許請求の範囲】
【請求項１】
シートに印刷を行う印刷手段と、
要求されるジョブで印刷されたシートを積載する積載手段と、
積載されたシートの取り出しを指示する指示手段と、
取り出し指示を受け付けることに応じて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御手段と、
を備えることを特徴とする印刷装置。
【請求項２】
前記指示手段に基づいて最後に印刷したページと同じページを印刷するか否かを設定する設定手段を備え、
前記制御手段は、前記最後に印刷したページと同じページを印刷することが設定されている場合、取り出し指示を受け付けることに応じて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙することを特徴とする請求項１記載の印刷装置。
【請求項３】
前記最後に印刷したページが上面状態で排紙されるかどうかを判断する判断手段を備え、
前記最後に印刷したページが上面状態で排紙されると判断した場合、前記印刷手段は、取り出し指示を受け付けることに応じて、最後に印刷したページと同じページを印刷しないことを特徴とする請求項１記載の印刷装置。
【請求項４】
前記指示手段による指示が前記ジョブの区切りでシートの取り出しを行う場合、前記制御手段は、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御を実行し、
前記指示手段による指示が積載されたシートの取り出しを前記ジョブの途中で中断した後に行う場合、前記制御手段は、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御を実行しないことを特徴とする請求項１乃至３のいずれか１項に記載の印刷装置。
【請求項５】
シートに印刷を行う印刷手段と、
積載されたシートの取り出しを指示する指示手段と、
前記指示手段を用いてジョブを中断する指示を受け付ける受付手段と、
前記中断する指示を受け付けることに応じて、中断する際に印刷したページと同じページを印刷して特定の排紙手段に排紙し、中断したジョブの印刷を再開する前に、中断の指示を受け付けた際に印刷したページと同じページを印刷して前記特定の排紙手段に排紙する制御手段と、
を備えることを特徴とする印刷装置。
【請求項６】
前記制御手段は、ジョブを中断する指示を受け付けることに基づいて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御の可否を決定することを特徴とする請求項５記載の印刷装置。
【請求項７】
シートに印刷を行う印刷手段と、要求されるジョブで印刷されたシートを積載する積載手段とを備える印刷装置の制御方法であって、
積載されたシートの取り出しを指示する指示工程と、
取り出し指示を受け付けることに応じて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御工程と、
を備えることを特徴とする印刷装置の制御方法。
【請求項８】
前記指示工程に基づいて最後に印刷したページと同じページを印刷するか否かを設定する設定工程を備え、
前記制御工程は、前記最後に印刷したページと同じページを印刷することが設定されている場合、取り出し指示を受け付けることに応じて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙することを特徴とする請求項７記載の印刷装置の制御方法。
【請求項９】
前記最後に印刷したページが上面状態で排紙されるかどうかを判断する判断工程を備え、
前記最後に印刷したページが上面状態で排紙されると判断した場合、前記印刷手段は、取り出し指示を受け付けることに応じて、最後に印刷したページと同じページを印刷しないことを特徴とする請求項８記載の印刷装置の制御方法。
【請求項１０】
前記指示工程による指示が前記ジョブの区切りでシートの取り出しを行う場合、前記制御工程は、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御を実行し、
前記指示工程による指示が積載されたシートの取り出しを前記ジョブの途中で中断した後に行う場合、前記制御工程は、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御を実行しないことを特徴とする請求項７乃至９のいずれか１項に記載の印刷装置の制御方法。
【請求項１１】
シートに印刷を行う印刷手段を備える印刷装置の制御方法であって、
中断する指示を受け付けることに応じて、中断する際に印刷したページと同じページを印刷して特定の排紙手段に排紙し、中断したジョブの印刷を再開する前に、中断の指示を受け付けた際に印刷したページと同じページを印刷して前記特定の排紙手段に排紙する制御工程を備えることを特徴とする印刷装置の制御方法。
【請求項１２】
請求項７乃至１１のいずれか１項に記載の印刷装置の制御方法をコンピュータに実行させることを特徴とするプログラム。
【発明の詳細な説明】
【技術分野】
【０００１】
本発明は、印刷装置、印刷装置の制御方法、及びプログラムに関するものである。
【背景技術】
【０００２】
近年、プロダクションプリント市場などの拡大により、例えばデジタル複写機やデジタル複合機等の印刷装置を使用して、大量の印刷物を生成する機会が増えている。
デジタル複写機やデジタル複合機を使った印刷では、印刷エンジンは、印刷物の品質を高めるために、次に記載するような処理を自動的に実施する。例えば、印刷エンジンは、印刷用紙（以後、メディアと表記する）にトナーを定着させる時の定着温度を、最適な温度に保つために自動的に温度調整を行う。また、印刷ジョブの間隔が空いたり、印刷ジョブが中断したりすると、印刷エンジンは、残存トナーの吐き出しなどのクリーニング動作を自動的に行う。
【０００３】
上記のような処理は、印刷物の画質を高めるために必要な処理ではあるが、印刷エンジンの自動的な温度調整やクリーニング動作の前後で、印刷条件が変わり、微妙な色味の変動が発生することがある。このような色味の変動を確認する方法として、従来、サンプルプリントを行うことで印刷物の色味の変動を目視で確認する方法がある（特許文献１参照）。また、サンプルプリントの可否を判定する方法がある（特許文献２参照）。
【０００４】
例えば、特許文献１には、まず、サンプルプリントを必要とする要因を定義しておき、サンプルプリント要因が影響する印刷ジョブが、最初に流されたときにサンプルプリントを自動的に実行する方法について記載されている。具体的には、シアントナーを補給した場合には、トナー補給後の最初のカラー印刷ジョブを印刷する際にサンプルプリントを行う方法である。
【０００５】
また、特許文献２には、サンプルプリントの実行権限を管理し、オペレータの権限により、サンプルプリントの可否を判定するものが記載されている。特許文献２の方法を用いれば、オペレータの権限によりサンプルプリントの可否を制御できるため、サンプルプリントの実行により、機密情報が漏えいすることを防ぐことができる。
【先行技術文献】
【特許文献】
【０００６】
【特許文献１】特開２００９−２１６７８０号公報
【特許文献２】特開２００９−２００６４７号公報
【発明の概要】
【発明が解決しようとする課題】
【０００７】
しかしながら、特許文献１の方法は、印刷開始時にサンプルプリントを実施する方法であるため、大量の印刷物を生成するような印刷ジョブに対して、印刷の途中で色味の変動が発生したか否かを確認するのに適した方法ではない。
【０００８】
また、大量の印刷物を生成する運用では、オペレータが、大容量スタッカ内部に積載された印刷物を取り出した後、台車を使って、後工程（フィニッシング処理など）に印刷物を移動することが多い。そして、印刷物を大容量スタッカ内部から取り出す際には、一度、印刷を停止するため、取り出しの前後で微妙な色味変動が発生することがある。
【０００９】
このような運用においては、通常、オペレータは、後工程に印刷物を運ぶ前に、色味変動が発生していないことを確認する。そして、もし、色味変動が発生していた場合は、オペレータは、現在印刷中のジョブを停止するなどして、均一の画質でない印刷物が大量に発生することを防ぐ必要がある。
また、特許文献２の方法では、オペレータの権限に対して、サンプルプリントの実行可否を自動判定できるものの、オペレータの操作の意図を汲んで、サンプルプリントの実行可否を決定するものではない。
【００１０】
具体的には、オペレータが、後工程（フィニッシング処理など）に印刷物を移動することを目的として、大容量スタッカ内部に積載された印刷物を取り出す場合は、オペレータは、サンプルプリントを実行して色味の変動を確認する必要がある。しかし、オペレータが、緊急停止の意味で、大容量スタッカ内部に積載された印刷物を取り出す場合は、サンプルプリントの実行は必要がない。
【００１１】
本発明は、上記の課題を解決するためになされたもので、本発明の目的は、シートの取り出し前後で印刷状態の変化を容易に確認できる印刷物を出力できる仕組みを提供することである。
【課題を解決するための手段】
【００１２】
上記目的を達成する本発明の印刷装置は以下に示す構成を備える。
シートに印刷を行う印刷手段と、要求されるジョブで印刷されたシートを積載する積載手段と、積載されたシートの取り出しを指示する指示手段と、取り出し指示を受け付けることに応じて、最後に印刷したページと同じページを印刷して特定の排紙手段に排紙し、印刷されたシートの取り出し後、前記ジョブの印刷を再開する前に、前記最後に印刷したページと同じページを印刷して前記特定の排紙手段に排紙する制御手段と、を備えることを特徴とする。
【発明の効果】
【００１３】
本発明によれば、シートの取り出し前後で印刷状態の変化を容易に確認できる印刷物を出力できる。
【図面の簡単な説明】
【００１４】
【図１】印刷装置を適用する印刷システムの構成を説明する図である。
【図２】図１に示した印刷装置の構成を示す図である。
【図３】図２に示した外部給紙装置と外部給紙装置の断面図である。
【図４】図２に示した画像形成装置本体の構成を説明する断面図である。
【図５】図２に示した大容量スタッカの構成を説明する図である。
【図６】図１に示した印刷装置のハードウェア構成を示すブロック図である。
【図７】図６に示したスタッカ制御部の詳細な構成を示すブロック図である。
【図８】図１に示した情報処理装置のハードウェア構成を示すブロック図である。
【図９】図１に示した印刷システムのソフトウェア構成を示すブロック図である。
【図１０】情報処理装置の表示装置に表示されるＵＩ画面の一例を示す図である。
【図１１】情報処理装置の表示装置に表示されるＵＩ画面の一例を示す図である。
【図１２】情報処理装置の表示装置に表示されるＵＩ画面の一例を示す図である。
【図１３】情報処理装置の制御方法を説明するフローチャートである。
【図１４】印刷装置の制御方法を説明するフローチャートである。
【図１５】情報処理装置の表示装置に表示されるＵＩ画面の一例を示す図である。
【図１６】情報処理装置の制御方法を説明するフローチャートである。
【図１７】印刷装置の制御方法を説明するフローチャートである。
【図１８】情報処理装置の表示装置に表示されるＵＩ画面の一例を示す図である。
【図１９】印刷装置の制御方法を説明するフローチャートである。
【図２０】印刷装置の制御方法を説明するフローチャートである。
【図２１】情報処理装置の表示装置に表示されるＵＩ画面の一例を示す図である。
【図２２】印刷装置の制御方法を説明するフローチャートである。
【図２３】印刷装置の制御方法を説明するフローチャートである。
【図２４】印刷装置の表示装置に表示されるＵＩ画面の一例を示す図である。
【図２５】情報処理装置の表示装置に表示されるＵＩ画面の一例を示す図である。
【図２６】印刷装置の制御方法を説明するフローチャートである。
【発明を実施するための形態】
【００１５】
次に本発明を実施するための最良の形態について図面を参照して説明する。
＜システム構成の説明＞
〔第１実施形態〕
図１は、本実施形態を示す印刷装置を適用する印刷システムの構成を説明する図である。なお、本実施形態に示す印刷装置の一例として、複合機能処理を実行するＭＦＰ（Ｍｕｌｔｉ  Ｆｕｎｃｔｉｏｎ  Ｐｅｒｉｐｈｅｒａｌ）を用いて説明する。本印刷システムは、印刷装置１０１、情報処理装置１０２、情報処理装置１０３、ネットワーク１０４により構成される。
【００１６】
図１において、情報処理装置１０３はクライアントであり、オペレータの要望に応じて印刷ジョブ設定などの処理を行い、印刷ジョブを情報処理装置１０２に送信する役割を担う。情報処理装置１０２はサーバであり、印刷ジョブの受信、ジョブ管理、およびＲＩＰや面付けなどの処理を行い、印刷装置１０１を使って印刷を行う役割を担う。１０４はネットワークであり、ネットワーク１０４通じて、印刷装置１０１、情報処理装置１０２、および情報処理装置１０３は接続されている。
【００１７】
図２は、図１に示した印刷装置１０１の構成を示す図である。
図２において、印刷装置１０１は、外部給紙装置２０１、外部給紙装置２０２、画像形成装置２０３、大容量スタッカ２０４により構成される。
外部給紙装置２０１および外部給紙装置２０２は、大量の印刷用紙（以下、シートと表記）を画像形成装置２０３に提供するためのものである。画像形成装置２０３は外部給紙装置２０１、外部給紙装置２０２、および画像形成装置２０３に付属する給紙トレイから給紙した印刷するためのシートに印刷を行う。大容量スタッカ２０４は、印刷物を大量に溜めておくことができる排紙装置であり、主に外部給紙装置２０１および外部給紙装置２０２を使った大量印刷を溜めておくために利用される。なお、図示していないが、大容量スタッカ２０４の下流に、くるみ製本装置や中綴じ製本装置が接続されていてもよい。
【００１８】
図３は、図２に示した外部給紙装置２０１と外部給紙装置２０２の断面図である。
図３において、ストレートパス３０７は、給紙トレイ３０１、給紙トレイ３０２、給紙トレイ３０３、および上流側から搬送されてきたメディア（シートとも呼ぶ）を下流側へ搬送するパスである。
本実施形態においては、外部給紙装置２０２は、上流側に外部給紙装置２０１、下流側に画像形成装置２０３が配置されている。そのため、外部給紙装置２０２は、ストレートパス３０７を通じて、給紙トレイ３０１、給紙トレイ３０２、給紙トレイ３０３に入っているメディア、および外部給紙装置２０１から搬送されてきたメディアを画像形成装置２０３へ搬送する。
給紙トレイ３０１、給紙トレイ３０２、給紙トレイ３０３は、メディアを給紙するトレイである。リフトアップモータ（不図示）を使って、給紙トレイ下部をリフトアップすることで、給紙されたメディアを給紙モータ３０４、給紙モータ３０５、給紙モータ３０６に接触させることができる。この仕組みにより、メディア量に関係なく給紙を行うことが可能となる。
給紙モータ３０４、給紙モータ３０５、給紙モータ３０６は、それぞれ、給紙トレイ３０１、給紙トレイ３０２、給紙トレイ３０３に入っているメディアを１枚単位で引き出すモータである。給紙トレイ３０１、給紙トレイ３０２、給紙トレイ３０３に入っているメディアは、それぞれ、給紙モータ３０４、給紙モータ３０５、給紙モータ３０６により搬送経路に送り出されることで、ストレートパス３０７まで搬送される。
【００１９】
図４は、図２に示した画像形成装置２０３の構成を説明する断面図である。
図４において、自動原稿搬送装置（ＡＤＦ）４０１は、原稿トレイの積載面にセットされた原稿束を１頁目の原稿から、ページ順に、順番に分離して、スキャナ４０２によって原稿走査するために原稿台ガラス上へ搬送する。スキャナ４０２は、原稿台ガラス上に搬送された原稿の画像を読み取り、ＣＣＤによって画像データに変換する。
回転多面鏡（ポリゴンミラー等）４０３は、画像データに応じて変調された、例えばレーザ光などの光線を入射させ、反射ミラーを介して反射走査光として感光ドラム４０４に照射する。感光ドラム４０４上に前記レーザ光によって形成された潜像はトナーによって現像され、転写ドラム４０５上に貼り付けられたメディアに対してトナー像を転写する。
この一連の画像形成プロセスをイエロー（Ｙ）、マゼンタ（Ｍ）、シアン（Ｃ）、ブラック（Ｋ）のトナーに対して順次実行することによりフルカラー画像が形成される。４回の画像形成プロセスの後に、フルカラー画像形成された転写ドラム４０５上のメディアは、分離爪４０６によって分離され、定着前搬送器４０７によって定着器４０８へ搬送される。
【００２０】
定着器４０８は、ローラやベルトの組み合わせによって構成され、ハロゲンヒータなどの熱源を内蔵し、トナー像が転写されたメディア上のトナーを、熱と圧力によって溶解、定着させる。排紙フラッパ４０９は、揺動軸を中心に揺動可能に構成され、メディアの搬送方向を規定する。排紙フラッパ４０９が図中時計回りの方向に揺動しているときには、メディアは真直ぐに搬送され、排紙ローラ４１０によって機外へ排出される。
【００２１】
一方、メディアの両面に画像を形成する際には、排紙フラッパ４０９が図中反時計回りの方向に揺動し、メディアは下方向に進路を変更され両面搬送部へと送り込まれる。両面搬送部は、反転フラッパ４１１、反転ローラ４１２、反転ガイド４１３および両面トレイ４１４を具備する。反転フラッパ４１１は、揺動軸を中心に揺動可能に構成され、メディアの搬送方向を規定する。
両面印刷ジョブを処理する場合は、反転フラッパ４１１を図中反時計回りの方向に揺動させることで、シートの第１面にプリント済みのシートが、反転ローラ４１２を介して、反転ガイド４１３へと送り込まれる。そして、メディア後端が反転ローラ４１２に狭持された状態で反転ローラ４１２を一旦停止させ、引き続き反転フラッパ４１１が図中時計回りの方向に揺動させる。且つ、反転ローラ４１２を逆方向に回転させる。これにより、該シートスイッチバックして搬送させ、シートの後端と先端が入れ替わった状態で、該シートが両面トレイ４１４へと導かれる。
【００２２】
両面トレイ４１４ではメディアを一旦積載し、その後、再給紙ローラ４１５によってメディアは再びレジストローラ４１６へと送り込まれる。このときメディアは、１面目の転写工程とは反対の面が感光ドラムと対向する側になって送られてきている。そして、上述したプロセスと同様にして該シートの第２面に対して２面目の画像を形成させる。
そして、メディアの両面に画像が形成され、定着工程を経て排紙ローラ４１０を介して印刷装置本体内部から機外へと該シートを排出させる。以上のような一連の両面印刷シーケンスを実行することで、両面印刷ジョブのシートの第１面と第２面の各面に対する両面印刷を本印刷装置により実行可能にする。
【００２３】
給紙トレイ４１７は、メディアを給紙するトレイである。リフトアップモータ（不図示）を使って、給紙トレイ下部をリフトアップすることで、給紙されたメディアを給紙モータ４１８に接触させることができる。この仕組みより、メディア量に関係なく給紙を行うことが可能となる。
給紙モータ４１８は、給紙トレイ４１７に入っているメディアを１枚単位で引き出すモータである。給紙トレイ４１７に入っているメディアは、給紙モータ４１８により搬送経路に送り出される。
【００２４】
給紙トレイ４１７から送り出されたメディアは搬送ガイドの間を案内され、複数の搬送ローラによってレジストローラ４１６まで搬送される。このときレジストローラ４１６は停止しており、メディアの先端がレジストローラ４１６対で形成されるニップ部に突き当たり、メディアがループを形成し斜行が補正される。
その後、画像形成部において感光ドラム４０４上に形成されるトナー像のタイミングに合わせて、レジストローラ４１６は回転を開始してメディアを搬送する。レジストローラ４１６により送られたメディアは、吸着ローラ４１９によって転写ドラム４０５表面に静電気的に吸着される。定着器４０８から排出されたメディアは、排紙ローラ４１０を介して機外に排出される。ネットワークコネクタ４２０は、ネットワーク１０４と接続するための接続部である。たとえば、ネットワーク１０４がイーサネット（登録商標）である場合は、RJ-45形状の接続部となる。なお、本実施形態では、１つの感光ドラムを有する画像形成装置を例に挙げて説明するが、本発明は、４つの感光ドラムを有する画像形成装置に適用することもできる。
【００２５】
図５は、図２に示した大容量スタッカ２０４の構成を説明する図である。なお、図５の（Ａ）には、大容量スタッカ２０４の外観および断面の態様を示してある。また、図５の（Ｂ）には、大容量スタッカ２０４の側面および上面の態様を示してある。
外観に対応する図５の（Ａ）において、ボタン５０１は、スタックイジェクトボタンであり、大容量スタッカのリフトテーブル５０８に積載された印刷メディアを大容量スタッカ２０４から取り出す場合に押下される。スライドドア５０２は、大容量スタッカ２０４の前面カバーである。スライドドア５０２は、通常時は降りた状態になっているが、大容量スタッカ２０４から印刷物を取りだす場合は、上方へスライドする。
【００２６】
図５の（Ａ）に示す正面および図５の（Ｂ）に示す側面において、大容量スタッカ２０４は、ストレートパス５０３、エスケープパス５０４およびスタックパス５０５の３つの搬送経路を含む。また、大容量スタッカ２０４は、エスケープトレイ５０６およびリフトテーブル５０８を含む。ストレートパス５０３は、画像形成装置２０３から受取ったメディアを搬送するため搬送路である。
排紙フラッパ対５０７は、揺動軸を中心に揺動可能に構成され、メディアの搬送方向を規定する。排紙フラッパ対５０７の上側が、図中反時計回りの方向に揺動している時には、メディアはエスケープパス５０４へ搬送される。また、排紙フラッパ対５０７の下側が、図中時計回りの方向に揺動している時には、メディアはスタックパス５０５へ搬送される。さらに、排紙フラッパ対５０７の上側および下側が揺動していない場合は、メディアはストレートパス５０３へ搬送される。
【００２７】
エスケープパス５０４は、メディアをリフトテーブル５０８にスタックせずに、排出したい場合に用いられる。例えば、サンプルプリント等を行う場合に、エスケープパス５０４からエスケープトレイ５０６にメディアを排出させる。
【００２８】
スタックパス５０５は、リフトテーブル５０８にメディアを搬送するための搬送経路である。例えば、オペレータから大容量スタッカ２０４のスタック部に印刷物を排出するジョブが投入された場合、メディアは、スタックパス５０５を経由して、リフトテーブル５０８へ排紙される。
リフトテーブル５０８は、メディアを積載するためのテーブルである。イジェクトテーブル５０９は、メディアを大容量スタッカ２０４の内部から外部へ移動するためのテーブルである。
【００２９】
モータ５１０は、スライドドア５０２を上下に移動可能とするためのモータである。モータ５１０の回転を受けるギア（不図示）とスライドドアは接触している。そのため、モータ５１０の回転を右回転、および左回転に制御することで、スライドドア５０２の上下移動が可能である。
【００３０】
モータ５１１は、リフトテーブル５０８を上下に移動するためのモータである。モータ５１１はリフトテーブル５０８と接続されており、さらに、モータ５１１の回転を受けるギア（不図示）とガイドレール５１３とが接触している。
ガイドレール５１３は、リフトテーブル５０８を上下移動する際に利用されるレールであり、垂直に設置されている。そのため、モータ５１１の回転を右回転、および左回転に制御することで、リフトテーブル５０８の上下移動が可能である。さらに、リフトテーブル５０８は、イジェクトテーブル５０９と同じ高さにまで下げることができるようになっている。なお、
【００３１】
モータ５１２は、イジェクトテーブル５０９を大容量スタッカ２０４の内部から外部へ移動するためのモータである。モータ５１２の回転を受けるギア（不図示）とイジェクトテーブル５０９は接触している。そのため、モータ５１２の回転を右回転、および左回転に制御することで、イジェクトテーブル５０９の前後移動が可能である。ボタン押下検知ユニット５１４は、ボタン５０１が押下されたことを検知する回路基板である。
【００３２】
図５の（Ｂ）に示した上面においては、リフトテーブル５０８とイジェクトテーブル５０９の形状を示している。リフトテーブル５０８とイジェクトテーブル５０９の形状は、お互いの凸部分と凹部分が接触しない構造となっている。そのため、リフトテーブル５０８をイジェクトテーブル５０９と同じ高さ、またはイジェクトテーブル５０９より低い位置にまで下げることが可能となっている。
以上から、大容量スタッカ２０４は、リフトテーブル５０８上のメディアを外部に排出する場合は、以下の動作を行う。
【００３３】
まず、モータ５１０の回転を制御することでスライドドア５０２を上方に移動する。次に、モータ５１１を制御することで、リフトテーブル５０８をイジェクトテーブル５０９とより低い位置まで下降する。その結果、リフトテーブル５０８とイジェクトテーブル５０９の形状特性により、リフトテーブル５０８上に積載されていたメディアは、イジェクトテーブル５０９に積み替えられた状態となる。そして、モータ５１２を制御することで、イジェクトテーブル５０９が前面側に移動するため、リフトテーブル５０８に積載されていたメディアが、大容量スタッカ２０４の外部へ排出されることになる。イジェクトテーブル５０９が前面側に移動した状態で、リフトテーブル５０９は上昇可能であり、次に排紙される印刷物を積載することができる。
【００３４】
図６は、図１に示した印刷装置１０１のハードウェア構成を示すブロック図である。
図６において、ＣＰＵ回路部６０５はＣＰＵ６０６を有し、ＲＯＭ６０７に格納されているプログラムに従って、次に示す制御部をコントロールする。制御部は、原稿給送装置制御部６０１、イメージリーダ制御部６０２、画像信号制御部６０３、プリンタ制御部６０４、外部給紙装置制御部６０９、スタッカ制御部６１０、ＨＤＤ  Ｉ／Ｆ部６１１、ネットワークＩ／Ｆ部６１２を有する。原稿給送装置制御部６０１は自動原稿搬送装置４０１を制御する。イメージリーダ制御部６０２はスキャナ４０２を制御する。
プリンタ制御部６０４は感光ドラム４０４、定着器４０８、給紙トレイ４１７等を制御する。外部給紙装置制御部６０９は外部給紙装置２０１、外部給紙装置２０２を制御する。スタッカ制御部６１０は大容量スタッカ２０４を制御する。
ＨＤＤ  Ｉ／Ｆ部６１１は、ＨＤＤ６１３とのインタフェースであり、ＨＤＤ６１３に対する書き込みや読み出しを制御する。ネットワークＩ／Ｆ部６１２は、ネットワーク１０４を介したデータの送受信を制御する。ＨＤＤ６１３は、大容量記憶装置であり、不揮発性の記憶部であり、データを保存する。
【００３５】
ＲＡＭ６０８は制御データを一時的に保持する領域や、制御に伴う演算の作業領域として用いられる。ネットワークＩ／Ｆ部６１２は、ネットワーク１０４を介して情報処理装置１０２などと接続されている。
【００３６】
なお、イメージリーダ制御部６０２から画像信号制御部６０３へはスキャナ４０２で読み取られた画像が出力される。そして、画像信号制御部６０３からプリンタ制御部６０４へ出力された画像は画像形成され、給紙トレイ４１７などから給紙したメディアに印刷される。その後、印刷されたメディアは、ユーザ指定の出力形態に応じて後処理を施される。ここで、後処理とは、スタッカ制御部６１０より施される処理を示す。例えば、メディアが大容量スタッカ２０４に排紙される場合は、スタッカ制御部６１０が、指定された排紙先に応じて、エスケープトレイ５０６やリフトテーブル５０８にメディアを排紙する制御を行う。
【００３７】
図７は、図６に示したスタッカ制御部６１０の詳細な構成を示すブロック図である。
図７において、ＣＰＵ回路部７０１はＣＰＵ７０２を有し、ＲＯＭ７０３に格納されているプログラムに従って、次に示す制御部をコントロールする。制御部とは、排紙先制御部７０５、スライドドア制御部７０６、リフトテーブル制御部７０７、イジェクトテーブル制御部７０８、ボタン押下検知部７０９である。
排紙先制御部７０５は、排紙フラッパ対５０７を制御し排紙先の制御を行う。スライドドア制御部７０６は、モータ５１０を制御し、スライドドア５０２の上下移動を制御する。リフトテーブル制御部７０７は、モータ５１１を制御し、リフトテーブル５０８の上下移動を制御する。イジェクトテーブル制御部７０８は、モータ５１２を制御し、イジェクトテーブルの前後移動を制御する。ボタン押下検知部７０９は、ボタン押下検知ユニット５１４を制御し、ボタン５０１が押下されたか否かを検知する。なお、ＲＡＭ７０４は、ＣＰＵ７０２のワーク領域である。
【００３８】
ＣＰＵ回路部７０１は、ＣＰＵ回路部６０５と排紙先制御部７０５、スライドドア制御部７０６、リフトテーブル制御部７０７、イジェクトテーブル制御部７０８、ボタン押下検知部７０９との間の仲介回路である。ＣＰＵ回路部７０１は、ＣＰＵ回路部６０５からの指示や制御部からの通知を仲介する機能を持つ。
【００３９】
具体的には、メディアの排紙先をエスケープトレイ５０６に切り替える場合は、ＣＰＵ回路部６０５がＣＰＵ回路部７０１に対して排紙先をエスケープトレイに切り替えるように指示を行う。そして、その指示を受けたＣＰＵ回路部７０１は排紙先制御部７０５へ排紙先をエスケープトレイに切り替える指示を行う。
【００４０】
また、リフトテーブル５０８に積載されたメディアを取り出す場合は、以下の仲介を行う。まず、ＣＰＵ回路部６０５がＣＰＵ回路部７０１に対してスライドドア５０２を上方に移動するように指示を行う。そして、その指示を受けたＣＰＵ回路部７０１はスライドドア制御部７０６へスライドドア５０２を上方に移動するように指示を行う。次に、ＣＰＵ回路部６０５がＣＰＵ回路部７０１に対してリフトテーブル５０８を下方に移動するように指示を行う。
そして、その指示を受けたＣＰＵ回路部７０１はリフトテーブル制御部７０７へリフトテーブル５０８を下方に移動するように指示を行う。最後に、ＣＰＵ回路部６０５がＣＰＵ回路部７０１に対してイジェクトテーブル５０９を前面側へ移動するように指示を行う。そして、その指示を受けたＣＰＵ回路部７０１はイジェクトテーブル制御部７０８へイジェクトテーブル５０９を前面側へ移動するように指示を行う。
【００４１】
ボタン押下検知部７０９に関しては、以下のように仲介を行う。例えば、オペレータがボタン５０１を押下した場合、ボタン押下検知部７０９は、ＣＰＵ回路部７０１にボタン５０１が押下されたことを通知する。そして、その通知を受けたＣＰＵ回路部７０１は、ＣＰＵ回路部６０５へボタン５０１が押下されたことを通知する。
【００４２】
以上のように、排紙先制御部７０５、スライドドア制御部７０６、リフトテーブル制御部７０７、イジェクトテーブル制御部７０８への指示、およびボタン押下検知部７０９からの通知は、ＣＰＵ回路部６０５にて集中制御できる構成となっている。
【００４３】
図８は、図１に示した情報処理装置１０２および情報処理装置１０３のハードウェア構成を示すブロック図である。
図８において、８０１はＣＰＵ（セントラルプロセッシングユニット）である。ＣＰＵ８０１は、ＲＯＭ８０７、ＨＤＤ８０９及びＣＤＤ８０６に格納された制御プログラムに基づいてＣＰＵデバイスに接続された各デバイスを制御する。
【００４４】
８０２は表示装置であり、その表示画面には、例えばウインドウ、アイコン、メッセージ、メニューその他のユーザインターフェース情報が表示される。８０３はＶＲＡＭ（ビデオランダムアクセスメモリ）であり、表示装置８０２に表示するための画像が描画される。このＶＲＡＭ８０３に生成された画像データは、所定の規定に従って表示装置８０２に転送され、これにより表示装置８０２に画像が表示される。
【００４５】
８０４はキーボードであり、文字入力を行うための各種キーを有する。８０５はＰＤ（ポインティングデバイス）であり、例えば、表示装置８０２の表示画面上に表示されたアイコン、メニューその他のオブジェクトを指示するために使用される。
【００４６】
８０６はＣＤＤ（コンパクトディスクドライブ）であり、ＣＤ−ＲＯＭや、ＣＤ−Ｒなどの記録メディアとの間で各種制御プログラムやデータの読み書きを行う装置である。これはＤＶＤドライブであってもよい。
【００４７】
８０７はＲＯＭ（リードオンリメモリ）であり、各種の制御プログラムやデータを保持する。８０８はＲＡＭ（ランダムアクセスメモリ）でありＣＰＵ８０１のワーク領域、エラー処理時のデータの退避領域、制御プログラムのロード領域等を有する。
例えば、情報処理装置１０２は、電子データをＲＩＰして印刷装置１０１へ送信する機能を有している。そのプログラムはＲＯＭ８０７に格納されており、ＲＩＰ処理を行う際にはＣＰＵ８０１のワーク領域やＲＡＭ８０８を利用する。また、情報処理装置１０３は、電子データを印刷ジョブとして、情報処理装置１０２へ送信する機能を有している。そのプログラムはＲＯＭ８０７に格納されており、送信処理を行う際には、ＣＰＵ８０１のワーク領域やＲＡＭ８０８を利用する。
【００４８】
８０９は内部記録装置としてのＨＤＤ（ハードディスクドライブ）であり、各種制御プログラムや各種データを保存する。８１０は外部記録Ｉ／Ｆであり、ＵＳＢメモリなどの外部記録媒体への読み書きを行う装置である。
【００４９】
８１１はネットワーク・インターフェース（Ｎｅｔ−Ｉ／Ｆ）であり、ネットワーク１０４を介して、印刷装置１０１、情報処理装置１０２、情報処理装置１０３の間で、データの送受信を行うことができる。８１２はＣＰＵバスであり、アドレスバス、データバス及びコントロールバスを含む。
【００５０】
図９は、図１に示した印刷装置１０１、情報処理装置１０２、および情報処理装置１０３のソフトウェア構成を示すブロック図である。
図９において、機器制御部９０１、受信処理部９０２、送信処理部９０３、ネットワークＩ／Ｆ制御部９０４は、印刷装置１０１のＣＰＵ回路部６０５にて実行されるソフトウェア（モジュール）である。したがって、各モジュールの主体は、各装置が備えるＣＰＵにより実行されることで、各機能処理が実現される構成となっている。
また、ＵＩ処理部９０５、ジョブ制御部９０６、ＲＩＰ処理部９０７、受信処理部９０８、送信処理部９０９、ネットワークＩ／Ｆ制御部９１０は、情報処理装置１０２のＣＰＵ８０１にて実行されるソフトウェアである。
さらに、ＵＩ処理部９１１、ジョブ生成部９１２、送信処理部９１３、ネットワークＩ／Ｆ制御部９１４は、情報処理装置１０３のＣＰＵ８０１にて実行されるソフトウェアである。
【００５１】
機器制御部９０１は、画像形成装置２０３の印刷機能、大容量スタッカ２０４のリフトテーブル５０８に積載された印刷済みのメディアを取り出すなどの処理を担当する。例えば、リフトテーブル５０８に積載された印刷済みのメディアを取り出す場合は、スタッカ制御部６１０を制御することで、スライドドア５０２の上方移動、リフトテーブル５０８の下方移動、イジェクトテーブル５０９の前面側移動を制御する。
【００５２】
受信処理部９０２は、情報処理装置１０２によりＲＩＰされた印刷画像を、ネットワークＩ／Ｆ制御部９０４を通じて受信し、ページ単位で機器制御部９０１へ渡す処理を担当する。また、リフトテーブル５０８に積載された印刷済みのメディアを取り出す要求を受信し、その要求を機器制御部９０１へ渡す処理を担当する。
【００５３】
送信処理部９０３は、スタッカ制御部６１０から大容量スタッカ２０４のボタン５０１が押下されたことを通知されると、ネットワークＩ／Ｆ制御部９０４を通じて、情報処理装置１０２の受信処理部９０８へ渡す処理を担当する。
【００５４】
ネットワークＩ／Ｆ制御部９０４は、ネットワークＩ／Ｆ６１２を制御する。さらに、ネットワークＩ／Ｆ制御部９１０と連携し、ネットワーク１０４を通じて、印刷装置１０１と情報処理装置１０２との間のデータ通信処理を担当する。
【００５５】
ＵＩ処理部９０５は、情報処理装置１０２の表示装置８０２にジョブ管理アプリケーションおよびシステム状況画面を表示する処理や、システム状況画面から要求されたスタックイジェクト要求をジョブ制御部９０６に渡す処理を担当する。
【００５６】
ジョブ制御部９０６は、印刷装置１０１に対する印刷ジョブの管理およびジョブ送信処理を担当する。具体的には、印刷ジョブの開始、中断、キャンセルなどの処理を行う。さらに、ＵＩ処理部９０５から渡されたスタックイジェクト要求を送信処理部９０９に渡す処理を担当する。ＲＩＰ処理部９０７は、印刷データをページ単位でＲＩＰする処理を担当する。
【００５７】
受信処理部９０８は、ネットワークＩ／Ｆ制御部９１０を通じて、印刷装置１０１から大容量スタッカ２０４のボタン５０１が押下されたことを受信し、ジョブ制御部９０６へ渡す処理を担当する。さらに、受信処理部９０８は、ネットワークＩ／Ｆ制御部９１０を通じて、情報処理装置１０３から受信した印刷ジョブをジョブ制御部９０６へ渡す処理を担当する。
【００５８】
送信処理部９０９は、ＲＩＰ画像を、ページ単位で、ネットワークＩ／Ｆ制御部９１０を通じて、印刷装置１０１の受信処理部９０２に渡す処理を担当する。さらに、ジョブ制御部９０６から渡されたスタックイジェクト要求を、ネットワークＩ／Ｆ制御部９１０を通じて、印刷装置１０１の受信処理部９０２に渡す処理を担当する。
【００５９】
ネットワークＩ／Ｆ制御部９１０は、Ｎｅｔ−Ｉ／Ｆ８１１を制御する。さらに、ネットワークＩ／Ｆ制御部９０４とネットワークＩ／Ｆ制御部９１４と連携し、ネットワーク１０４を通じて、印刷装置１０１、情報処理装置１０２、情報処理装置１０３との間のデータ通信処理を担当する。
ＵＩ処理部９１１は、情報処理装置１０３の表示装置８０２にジョブ設定画面を表示する処理や、印刷ジョブを生成する指示をジョブ生成部９１２に渡す処理を担当する。
ジョブ生成部９１２は、ＵＩ処理部９１１からの指示に従って印刷ジョブを生成し、印刷データを送信処理部９１３に渡す処理を担当する。送信処理部９１３は、印刷ジョブを、ネットワークＩ／Ｆ制御部９１４を通じて、情報処理装置１０２の受信処理部９０８へ渡す処理を担当する。
【００６０】
ネットワークＩ／Ｆ制御部９１４は、Ｎｅｔ−Ｉ／Ｆ８１１を制御する。さらに、ネットワークＩ／Ｆ制御部９１０と連携し、ネットワーク１０４を通じて、情報処理装置１０２と情報処理装置１０３との間のデータ通信処理を担当する。
本構成において、情報処理装置１０３から印刷ジョブ送信し、画像形成装置１０１でＲＩＰし、印刷装置１０１で印刷する場合は、以下の処理を行うことで実現する。
【００６１】
まず、情報処理装置１０３のジョブ生成部９１２は、ＵＩ処理部９１１にて設定されたジョブ設定に従ってジョブを生成し、印刷データとジョブ設定情報を、送信処理部９１３を使ってジョブ制御部９０６へ印刷ジョブを送信する。
次に、情報処理装置１０２のジョブ制御部９０６は、受信した印刷データをＲＩＰ処理部９０７にてページ単位でレンダリングし、送信処理部９０９を使ってＲＩＰ画像を機器制御部９０１へ送信する。
さらに、ジョブ制御部９０６は、ＲＩＰ画像の送信に合わせて、ネットワークＩ／Ｆ制御部９１０を通じて、ジョブ設定情報を、機器制御部９０１へ送信する。次に、印刷装置１０１の機器制御部９０１は、受信したＲＩＰ画像を受け取り、その画像データを画像信号制御部６０３へ渡すとともに、ジョブ設定情報を受信する。
続いて、機器制御部９０１は、ジョブ設定情報を元に、プリンタ制御部６０４、外部給紙装置制御部６０９、スタッカ制御部６１０へ排紙先や給紙トレイに関する指示を出す。そして、前記指示を出すと共に、画像信号制御部６０３へ、画像データをプリンタ制御部６０４へ渡すように指示する。
また、本構成において、大容量スタッカ２０４のリフトテーブル５０８に積載された印刷済みのメディアを取り出す場合は、以下の処理を行うことで実現する。
【００６２】
まず、情報処理装置１０２のＵＩ処理部９０５は、システム状況画面からスタックイジェクト要求が行われると、ジョブ制御部９０６へ送信する。ジョブ制御部９０６は、現在のジョブ状況に応じて、ジョブに対するジョブ制御を行った後、送信処理部９０９を経由して、機器制御部９０１へスタックイジェクト要求を渡す。
【００６３】
次に、印刷装置１０１の機器制御部９０１は、受信したスタックイジェクト要求に従って、スライドドア５０２の上方移動、リフトテーブル５０８の下方移動、イジェクトテーブル５０９の前面側移動の一連の制御を行う。
【００６４】
図１０は、図１に示した情報処理装置１０２の表示装置８０２に表示されるＵＩ画面の一例を示す図である。本例のＵＩ画面例は、印刷装置１０１に関わるシステム状況画面例である。本システム状況画面は、印刷装置１０１の給紙トレイおよび排紙トレイの状況管理する画面として表示される。
図１０において、表示領域１００１は、印刷装置１０１の構成に応じた給紙トレイと排紙トレイの状況が示される領域である。なお、図１０においては、外部給紙装置２０１と外部給紙装置２０２に関して、給紙トレイ３０１、給紙トレイ３０２、給紙トレイ３０３が表示されている。
そして、すべての給紙トレイにＡ４サイズの普通紙が給紙されている状態を表している。また、画像形成装置２０３に関しては、給紙トレイ４１７が表示されており、Ａ３サイズの普通紙が給紙されている状態を表している。また、大容量スタッカ２０４に関しては、エスケープトレイ５０６、リフトテーブル５０８が表示されている。
【００６５】
スタックイジェクトボタン１００２は、大容量スタッカ２０４のリフトテーブル５０８に積載された印刷メディアを大容量スタッカ２０４から取り出す場合に押下するボタンである。スタックイジェクトボタン１００２は、通常、グレイアウト表示されており、ボタン押下できない状態となっている。スタックイジェクトボタンは、表示領域１００１の「スタック」と記載のある部分を押下すると、グレイアウト表示が解除され、ボタン押下が可能となる。
【００６６】
図１１は、図１に示した情報処理装置１０２の表示装置８０２に表示されるＵＩ画面の一例を示す図である。本例のＵＩ画面は、情報処理装置１０２の表示装置８０２に、表示されるジョブスケジューリング画面例である。なお、印刷装置１０１で印刷するジョブは、図１１のジョブスケジューリング画面を使って管理される。
図１１において、必要メディアボタン群１１０１は、スケジューリングされたジョブに必要なメディアが一覧表示される領域である。例えば、Ａ４の普通紙はJob1で必要とされ、Ａ３の普通紙はJob2で必要とされることを表わしている。また、必要メディアボタン群１１０１は、印刷予定のジョブにより表示されるボタン数が変わる。たとえば、Job1が印刷完了すると、Ａ４の普通紙を使うジョブが無いため、Ａ４の普通紙は、必要メディアボタン群に表示されなくなる。
【００６７】
時間軸１１０２は、現在を基準とした時間軸である。時間軸は、左から右へ伸びており、分単位で表示されている。ジョブ名欄１１０３は、印刷ジョブの名称を表わしており、図中の例では、Job1とJob2が表示されている。ジョブ状況欄１１０４は、印刷ジョブが必要とするメディア、およびジョブが完了する予想時間を表示している領域である。
【００６８】
図１２は、図１に示した情報処理装置１０２の表示装置８０２に表示されるＵＩ画面の一例を示す図である。本例のＵＩ画面は、情報処理装置１０３の表示装置８０２に表示されるジョブ設定画面例である。
図１２の（Ａ）において、１２０１はジョブ設定項目を種類によってグループ化したタグであり、「一般」、「ジョブ情報」、「メディア」、「レイアウト」、「仕上げ」の５種類により構成されている。そして、図１２（Ａ）では、「ジョブ情報」の設定項目が表示されている。
【００６９】
「ジョブ情報」は、印刷ジョブ全体に関連する設定をまとめたタグである。部数設定１２０２は、印刷データを印刷する部数を設定する項目であり、図中では１０００部印刷するように設定されている。両面印刷設定１２０３は、印刷データを両面印刷するか否かを設定する項目であり、図中では両面印刷するように設定されている。
【００７０】
ＯＫボタン１２０４は、ジョブ設定画面で設定した内容をジョブ設定として決定するボタンである。キャンセルボタン１２０５は、ジョブ設定画面で設定した内容を破棄するボタンである。なお、ＯＫボタン１２０４およびキャンセルボタン１２０５を押下後、ジョブ設定画面は閉じられる。
【００７１】
図１２の（Ｂ）は、「仕上げ」の設定項目が表示されている。
図１２の（Ｂ）において、「仕上げ」は、排紙設定に関する設定をまとめたタグである。シフト設定１２０６のプルダウンメニューは、排紙時にシフトするか否かを設定する項目であり、図中では、シフトしない設定が選択されている。
【００７２】
排紙先設定１２０７は、排紙先を選択する設定である。本設定は、「エスケープトレイ（不図示）」、「スタッカ内」の２種類から選択する設定であり、図中ではスタッカ内が選択されている。ここでスタッカ内とは、大容量スタッカ２０４のリフトテーブル５０８のことを意味する。
【００７３】
印刷向き設定１２０８は、印刷ジョブの１ページ目がメディア排紙時に下面に印刷されるか、上面に印刷されるかを選択する設定である。本設定は、「上向き（不図示）」、「下向き」の２種類から選択する設定であり、図中では下向きが選択されている。ＯＫボタン１２０４、およびキャンセルボタン１２０５については、図１２の（Ａ）での説明と同様であるため、説明を省略する。
【００７４】
以下、上記のように構成された印刷装置を用いて、具体的には大容量スタッカ２０４のリフトテーブル５０８へ排紙中に、リフトテーブル５０８に積載された印刷メディアを大容量スタッカ２０４から排出する要求が行われた場合を説明する。以後、当該排出要求をスタックイジェクト要求と呼ぶ。
【００７５】
本実施形態では、スタックイジェクト要求が行われた場合に、スタックイジェクトの前後でサンプルプリントを出力する。なお、実施例１では、印刷ジョブは、オペレータが情報処理装置１０３の表示装置８０２にて、図１２の（Ａ）、図１２の（Ｂ）を使ってジョブ設定画面を設定した後、情報処理装置１０２へ印刷ジョブを送信したとして説明を行う。以後、図１３、図１４のフローチャートを使って説明する。
【００７６】
図１３は、本実施形態を示す情報処理装置の制御方法を説明するフローチャートである。本例は、図１に示した情報処理装置１０２にて実行される処理例である。本処理のステップは、ＲＯＭ８０７に格納された制御プログラムをＣＰＵ８０１が実行することで実現される。以後の説明はモジュールを主体として説明する。
Ｓ１３０１は、図１０に示したＵＩ画面において、ＵＩ処理部９０５は、オペレータがスタックイジェクトボタン１００２を押下したか否かを判断する。ＵＩ処理部９０５は、スタックイジェクトボタン１００２が押下されたと判断した場合、Ｓ１３０２に進み、スタックイジェクトボタン１００２が押下されていないと判断した場合は、Ｓ１３０１に戻る。
Ｓ１３０２では、ＵＩ処理部９０５は、ジョブ制御部９０６に対して、スタックイジェクト要求を送信する。そして、ＵＩ処理部９０５は、本処理を終了する。
【００７７】
図１４は、本実施形態を示す印刷装置の制御方法を説明するフローチャートである。本例は、図１に示した印刷装置１０１にて実行される処理例である。本処理のステップは、ＲＯＭ６０７に格納された制御プログラムをＣＰＵ６０６が実行することで実現される。また、図１４に示す処理は、ＣＰＵ６０６が実行する機器制御部９０１の処理に対応する。以後の説明はモジュールを主体として説明する。
Ｓ１４０１は、スタックイジェクト要求を受信したか否かを検知するループである。機器制御部９０１は、本ループにおいて、スタックイジェクト要求を受信したと判断した場合、Ｓ１４０２に進み、スタックイジェクト要求を受信していないと判断した場合は、Ｓ１４０１に戻る。
【００７８】
Ｓ１４０２では、機器制御部９０１は、印刷ジョブの実行によって印刷されるシートがリフトテーブル５０８に排紙中であるか否かを判断する。具体的に、機器制御部９０１は、現在印刷中のジョブが存在した場合、印刷中ジョブの排紙先設定１２０７を確認することで、リフトテーブル５０８にシートを排紙中か否かを判断することができる。つまり、機器制御部９０１は、印刷中ジョブが無かった場合、および印刷中ジョブの排紙先設定１２０７がエスケープトレイであると判断した場合は、Ｓ１４０３に進む。一方、排紙先設定１２０７が印刷中ジョブの排紙先設定１２０７がスタック内であると判断した場合は、Ｓ１４０４に進む。
【００７９】
Ｓ１４０３で、機器制御部９０１は、スタックイジェクト要求を大容量スタッカ２０４に対して発行する。それによって、大容量スタッカ２０４はスライドドア５０２を上方へ移動し、リフトテーブル５０８に積載されたシートをイジェクトテーブル５０９に移し替えて、大容量スタッカ２０４から排出する制御を行う。
Ｓ１４０４で、機器制御部９０１は、リフトテーブル５０８にシートを排紙中の印刷ジョブを特定し、Ｓ１４０５へ進む。
【００８０】
Ｓ１４０５では、機器制御部９０１は、特定した印刷ジョブに関して、部の切れ目まで印刷する処理を行う。具体例を挙げると、印刷ジョブが、画像データが１０ページであり１０００部印刷する設定だった場合、機器制御部９０１は、５００部目の１０ページ目までのＲＩＰ画像に基づいてシートに画像を印刷し、印刷ジョブの状態を中断状態にして、Ｓ１４０６へ進む。
【００８１】
Ｓ１４０６で、機器制御部９０１は、特定した印刷ジョブの最終ページのＲＩＰ画像を、ＨＤＤ６１３に保存し、Ｓ１４０７へ進む。Ｓ１４０７で、機器制御部９０１は、保存した印刷ジョブの最終ページのＲＩＰ画像に基づいて画像をシートに印刷し、そのシートをエスケープトレイ５０６に排紙し、Ｓ１４０８へ進む。
Ｓ１４０８で、機器制御部９０１は、大容量スタッカ２０４にスタックイジェクト要求を発行して、Ｓ１４０９に進む。スタックイジェクト要求を受付けると、大容量スタッカ２０４は、前述した方法で、リフトテーブル５０８に積載されたシートをイジェクトテーブル５０９に移し替えて、大容量スタッカ２０４から排出する制御を行う。ここで、大容量スタッカ２０４がシートを移し替えて、リフトテーブル５０８を排紙口まで上昇させるために数十秒がかかる。リフトテーブル５０８が再び大容量スタッカ２０４のスタックパス５０５の排紙口から排紙されるシートを積載可能な位置まで上昇したことを不図示のセンサによって検知したら、印刷ジョブの印刷が再開される。なお、印刷ジョブの印刷の再開は、ユーザからの再開指示を受け付けてから行われるようにしてもよい。
【００８２】
Ｓ１４０９で、機器制御部９０１は、ＨＤＤ６１３に保存した印刷ジョブの最終ページのＲＩＰ画像に基づいて画像を印刷し、そのシートをエスケープトレイ５０６に排紙し、Ｓ１４１０へ進む。つまり、特定した印刷ジョブの最終ページの画像は、３回印刷される。まず、Ｓ１４０５で１回目の印刷が実行され、排紙先として設定されたリフトテーブル５０８に排紙される。そして、Ｓ１４０６で、２回目の印刷が実行され、エスケープトレイ５０６に排紙される。その後、Ｓ１４０６で、２回目の印刷が実行され、エスケープトレイ５０６に排紙される。
【００８３】
Ｓ１４１０で、機器制御部９０１は、中断状態にしたジョブを再開すると共に、続きのページのＲＩＰ画像に基づいて、シートに画像を印刷する。先ほどの例で説明すると、５０１部目の１ページ目以降のＲＩＰ画像に基づいて、シートに画像を印刷し、リフトテーブル５０８に排紙する。
【００８４】
以上のように、本実施形態によれば、スタックイジェクトの前後で、同一ページのサンプルプリントが自動実行されるため、オペレータは、エスケープトレイ５０６に排出されたサンプルプリントを見比べることで色味変動の目視確認が可能となる。
【００８５】
なお、本実施形態において、図１３のフローチャートの処理を、大容量スタッカ２０４のボタン５０１が押下された処理に置き換えても良い。その場合、スタックイジェクト要求は、ボタン押下検知部７０９からのボタン押下通知を、機器制御部９０１が、受信することで実現できる。処理のフローチャートは図１３とほぼ同様であるため、説明は省略する。
また、本実施形態は、情報処理装置１０３から送信されたジョブに対して適用する例を説明したが、印刷装置１０１のスキャナ４０２で読み取った画像を印刷するコピージョブに適用してもよい。その場合、上述した画面を印刷装置１０１の操作部に表示し、ユーザから指示を受け付ければよい。
【００８６】
〔第２実施形態〕
本実施形態では、印刷ジョブがユーザの指示によって中断およびキャンセルされた場合にサンプルプリントを出力する例について説明する。なお、実施例２においても、印刷ジョブは、オペレータが情報処理装置１０３の表示装置８０２にて、図１２の（Ａ）、図１２の（Ｂ）を使ってジョブ設定画面を設定した後、情報処理装置１０２へ印刷ジョブを送信したとして説明を行う。以後、本実施形態について、図１５（Ａ）、図１５（Ｂ）、図１６、図１７を使って説明する。
【００８７】
図１５は、図１に示した情報処理装置１０２の表示装置８０２に表示されるＵＩ画面の一例を示す図である。本ＵＩ画面は、ジョブの取り扱い画面例である。
図１５の（Ａ）、図１５の（Ｂ）は、ジョブスケジューリング画面のジョブ名欄１１０３に表示されているジョブ名をオペレータが押下した場合に表示される。
図１１の例で言うと、Job1もしくは、Job2と表示されている部分をユーザが押下した場合に表示される。ここで、該当ジョブが印刷状態であった場合は、情報処理装置１０２の表示装置８０２に、図１５の（Ａ）が表示され、中断状態であった場合は、図１５の（Ｂ）が表示される。また、ジョブが印刷状態でもなく中断状態でもなければ、表示はジョブスケジューリング画面のままである。
【００８８】
図１５の（Ａ）において、中断ボタン１５０１は該当ジョブの処理中の途中で中断する場合に押下するボタンである。また、キャンセルボタン１５０２は該当ジョブをキャンセルする場合に押下するボタンである。
中断ボタン１５０１もしくはキャンセルボタン１５０２が押下されたことを受け付けると、ＵＩ処理部９０５は、ジョブ制御部９０６に該当ジョブの中断要求またはキャンセルを送信する。そして、ＵＩ処理部９０５は、表示装置８０２の表示をジョブスケジューリング画面に戻す。
【００８９】
戻るボタン１５０３は、ジョブスケジューリング画面に戻るためのボタンである。戻るボタン１５０３を押下すると、該当ジョブの中断もしくはキャンセルを行わずに、ジョブスケジューリング画面に戻すことが可能である。
【００９０】
図１５の（Ｂ）において、再開ボタン１５０４は該当ジョブを中断状態から印刷状態に戻す場合に押下するボタンである。また、キャンセルボタン１５０５は該当ジョブをキャンセルする場合に押下するボタンである。
再開ボタン１５０４もしくはキャンセルボタン１５０５が押下されると、ＵＩ処理部９０５は、ジョブ制御部９０６に該当ジョブの再開要求またはキャンセルを送信する。そして、ＵＩ処理部９０５は、表示装置８０２の表示をジョブスケジューリング画面に戻す。
【００９１】
戻るボタン１５０６は、ジョブスケジューリング画面に戻るためのボタンである。戻るボタン１５０３は、該当ジョブの再開もしくはキャンセルを行わずに、ジョブスケジューリング画面に戻すことが可能である。
【００９２】
図１６は、本実施形態を示す情報処理装置の制御方法を説明するフローチャートである。本例は、図１に示した情報処理装置１０２にて実行される処理例である。本処理のステップは、ＲＯＭ６０７に格納された制御プログラムをＣＰＵ６０６が実行することで実現される。また、図１６に示す処理は、ＣＰＵ６０６が実行するＵＩ処理部９０５の処理に対応する。以後の説明はモジュールを主体として説明する。
【００９３】
Ｓ１６０１は、オペレータがジョブスケジューリング画面のジョブ名欄１１０３に表示されているジョブ名を押下したか否かを判断する。ＵＩ処理部９０５は、ジョブ名欄１１０３に表示されているジョブ名が押下されたと判断した場合、Ｓ１６０２に進み、ジョブ名が押下されていないと判断した場合、Ｓ１６０１に戻る。
【００９４】
Ｓ１６０２では、ＵＩ処理部９０５は、ジョブ制御部９０６に対して、該当ジョブの状態を問い合わせ、もし、当該ジョブ制御部９０６からの応答により、該当ジョブが印刷状態であるかどうかを判断する。ここで、印刷状態であるとＵＩ処理部９０５が判断した場合、Ｓ１６０２に進み、印刷状態でないとＵＩ処理部９０５が判断した場合は、Ｓ１６０３に進む。Ｓ１６０３では、ＵＩ処理部９０５は、該当ジョブの状態が中断状態であるかどうかを判断する。ここで、該当ジョブの状態が中断状態であるとＵＩ処理部９０５が判断した場合、Ｓ１６１０に進み、該当ジョブの状態が中断状態でないとＵＩ処理部９０５が判断した場合、本処理を終了する。
【００９５】
まず、該当ジョブの状態が印刷状態の場合の説明を行う。
Ｓ１６０４では、ＵＩ処理部９０５は、図１５の（Ａ）のジョブの取り扱い画面を表示装置８０２に表示し、Ｓ１６０５に進む。Ｓ１６０５は、オペレータが中断ボタン１５０１、キャンセルボタン１５０２、戻るボタン１５０３のいずれかを押下したかどうかを判断する。ＵＩ処理部９０５は、中断ボタン１５０１、キャンセルボタン１５０２、戻るボタン１５０３のいずれかが押下されたと判断した場合に、Ｓ１６０６へ進み、いずれのボタンも押下されていないと判断した場合に、Ｓ１６０５に戻る。
【００９６】
Ｓ１６０６では、ＵＩ処理部９０５は、キャンセルボタン１５０２が押下されたか否かを判断する。ここで、キャンセルボタン１５０２が押下されたと判断した場合、Ｓ１６０９へ進み、キャンセルボタン１５０２が押下されていないと判断した場合は、Ｓ１６０７へ進む。
Ｓ１６０７では、ＵＩ処理部９０５は、中断ボタン１５０１が押下されたか否かを判断する。ここで、中断ボタン１５０１が押下されたと判断した場合は、Ｓ１６０８に進み、中断ボタン１５０１が押下されていないと判断した場合は、戻るボタン１５０３が押下された場合であるので、本処理を終了する。
Ｓ１６０８では、ＵＩ処理部９０５は、印刷装置１０１に対して、中断要求を送信して、本処理を終了する。また、Ｓ１６０９では、ＵＩ処理部９０５は、印刷装置１０１に対して、キャンセル要求を送信して、本処理を終了する。
【００９７】
次に、該当ジョブの状態が中断状態の場合の説明を行う。
Ｓ１６１０では、ＵＩ処理部９０５は、図１５の（Ｂ）のジョブの取り扱い画面を表示装置８０２に表示し、Ｓ１６１１に進む。Ｓ１６１１は、オペレータが再開ボタン１５０４、キャンセルボタン１５０５、戻るボタン１５０６のいずれかを押下しているかどうかを判断する。ＵＩ処理部９０５は、再開ボタン１５０４、キャンセルボタン１５０５、戻るボタン１５０６のいずれかが押下されたと判断した場合に、Ｓ１６１２へ進み、いずれのボタンも押下されていないと判断した場合は、Ｓ１６１１に戻る。
【００９８】
Ｓ１６１２では、ＵＩ処理部９０５は、キャンセルボタン１５０５が押下されたか否かを判断する。ここで、キャンセルボタン１５０５が押下されたとＵＩ処理部９０５が判断した場合、Ｓ１６０９へ進み、キャンセルボタン１５０５が押下されていないと判断した場合は、Ｓ１６１３へ進む。
Ｓ１６１３では、ＵＩ処理部９０５は、再開ボタン１５０４が押下されたか否かを判断する。ここで、再開ボタン１５０４が押下されたと判断した場合は、Ｓ１６１４に進み、再開ボタン１５０４が押下されていないと判断した場合、戻るボタン１５０６が押下された場合であるので、本処理を終了する。Ｓ１６１４では、ＵＩ処理部９０５は、印刷装置１０１に対して、再開要求を送信して、本処理を終了する。
【００９９】
図１７は、本実施形態を示す印刷装置の制御方法を説明するフローチャートである。本例は、図１に示した印刷装置１０１にて実行される処理例である。本処理のステップは、ＲＯＭ６０７に格納された制御プログラムをＣＰＵ６０６が実行することで実現される。以後の説明はモジュールを主体として説明する。
Ｓ１７０１、Ｓ１７０２で、機器制御部９０１は、オペレータが図１５の（Ａ）の中断ボタン１５０１もしくはキャンセルボタン１５０２が押下されたかどうかを判断する。具体的には、ＵＩ処理部９０５からの中断要求の有無とキャンセル要求の有無を判断する処理を実行する。以下、図面に基づいて各ステップについて説明する。
【０１００】
Ｓ１７０１では、機器制御部９０１は、ＵＩ処理部９０５からキャンセル要求を受信していると判断した場合、Ｓ１７０３に進み、ＵＩ処理部９０５からキャンセル要求を受信していないと判断した場合はＳ１７０２に進む。
Ｓ１７０２では、機器制御部９０１は、ＵＩ処理部９０５から中断要求を受信していると判断した場合、Ｓ１７０２に進み、ＵＩ処理部９０５から中断要求を受信していないと判断した場合は、Ｓ１７０１に戻る。
【０１０１】
Ｓ１７０３で、機器制御部９０１は、該当ジョブのキャンセル処理を行う。それによって、印刷が停止される。Ｓ１７０４、Ｓ１７０５、Ｓ１７０６の処理については、第１実施形態のＳ１４０５、Ｓ１４０６、Ｓ１４０７と同様であるため、説明を省略する。
【０１０２】
Ｓ１７０７、Ｓ１７０８は、オペレータが図１５の（Ｂ）の再開ボタン１５０４もしくはキャンセルボタン１５０５を押下した際の処理を行う。具体的には、ＵＩ処理部９０５からの再開要求の有無とキャンセル要求の有無をチェックする。
【０１０３】
Ｓ１７０７で、機器制御部９０１は、ＵＩ処理部９０５からキャンセル要求を受信していると判断した場合、Ｓ１７０３に進み、ＵＩ処理部９０５からキャンセル要求を受信していないと判断した場合は、Ｓ１７０８に進む。Ｓ１７０８で、機器制御部９０１は、ＵＩ処理部９０５から再開要求を受信していると判断した場合、Ｓ１７０９に進み、ＵＩ処理部９０５から再開要求を受信していないと判断した場合は、Ｓ１７０７に戻る。Ｓ１７０９、Ｓ１７１０の処理については、第１実施形態に示したＳ１４０９、Ｓ１４１０と同様であるため、説明を省略する。
【０１０４】
以上の処理を行うことで、印刷ジョブの中断の前後で、同一ページのサンプルプリントが自動実行されるため、オペレータは、エスケープトレイ５０６に排出されたサンプルプリントを見比べることで色味変動の目視確認が可能となる。また、中断状態時にジョブをキャンセルした場合は、サンプルプリントを印刷しないため、印刷メディアを無駄に出力しないメリットがある。
【０１０５】
〔第３実施形態〕
本実施形態では、大容量スタッカ２０４のリフトテーブル５０８へ排紙中に、スタックイジェクト要求が行われた場合に、スタックイジェクトの前後でサンプルプリントを出力するか否かをオペレータが選択可能な例について説明する。なお、本実施形態では、印刷ジョブは、オペレータが情報処理装置１０３の表示装置８０２にて、図１２の（Ａ）、図１２の（Ｂ）を使ってジョブ設定画面を設定した後、情報処理装置１０２へ印刷ジョブを送信したとして説明を行う。
まず、オペレータがスタックイジェクトを行う場合の処理については、第１実施形態と同様であるため、本実施形態では説明を省略する。
【０１０６】
図１８は、図１５は、図１に示した情報処理装置１０２の表示装置８０２に表示されるＵＩ画面の一例を示す図である。本ＵＩ画面は、サンプルプリント選択画面例である。
図１８に示すサンプルプリント選択画面において、するボタン１８０１は、スタックイジェクトの前と後にサンプルプリントを実施する場合に押下するボタンである。また、しないボタン１８０２は、スタックイジェクトの前と後にサンプルプリントを実施しない場合に押下するボタンである。するボタン１８０１、もしくは、しないボタン１８０２が押下されると、ＵＩ処理部９０５は、ジョブ制御部９０６に該当ジョブに対して、サンプルプリント実施可否を送信する。そして、ＵＩ処理部９０５は、サンプルプリント選択画面の表示を取りやめる。
【０１０７】
図１９は、本実施形態を示す印刷装置の制御方法を説明するフローチャートである。本例は、図１に示した印刷装置１０１にて実行される処理例である。本処理のステップは、ＲＯＭ６０７に格納された制御プログラムをＣＰＵ６０６が実行することで実現される。また、以後の説明はモジュールを主体として説明する。
Ｓ１９０１で、機器制御部９０１は、スタックイジェクト要求を受信したか否かを判断する。機器制御部９０１がスタックイジェクト要求を受信したと判断した場合、Ｓ１９０２に進み、スタックイジェクト要求を受信していないと判断した場合は、Ｓ１９０１に戻る。
【０１０８】
Ｓ１９０２で、機器制御部９０１は、印刷ジョブがリフトテーブル５０８に排紙中であるか否かを判定する。具体的に、機器制御部９０１は、現在印刷中のジョブが存在した場合、印刷中ジョブの排紙先設定１２０７を確認することで、リフトテーブル５０８に排紙中か否かを判断することができる。つまり、機器制御部９０１は、印刷中ジョブが無かった場合、および印刷中ジョブの排紙先設定１２０７がエスケープトレイである場合は、Ｓ１９０３に進み、印刷中ジョブの排紙先設定１２０７がスタック内である場合は、Ｓ１９０４に進む。
【０１０９】
Ｓ１９０４では、機器制御部９０１は、ＵＩ処理部９０５に、図１８のサンプルプリント選択画面を表示するように指示する。そして、ＵＩ処理部９０５から、オペレータがするボタン１８０１もしくは、しないボタン１８０２のどちらを押下したかの情報を受信すると、Ｓ１９０５に進む。
【０１１０】
Ｓ１９０５で、機器制御部９０１は、ＵＩ処理部９０５から、サンプルプリントを実行するためのするボタン１８０１が押下されたことを示す情報を得ているかどうかを判断する。ここで、するボタン１８０１が押下されたと判断した場合は、Ｓ１９０６に進み、するボタン１８０１が押下されず、しないボタン１８０２が押下されたことを示す情報を得ていると判断した場合は、Ｓ１９１３に進む。
Ｓ１９１３で、機器制御部９０１は、リフトテーブル５０８に排紙中の印刷ジョブを特定し、Ｓ１９１４へ進む。
【０１１１】
Ｓ１９１４で、機器制御部９０１は、特定した印刷ジョブに関して、部の切れ目まで印刷する処理を行う。具体例をあげると、印刷ジョブが、画像データが１０ページであり１０００部印刷する設定だった場合、機器制御部９０１は、５００部目の１０ページ目までのＲＩＰ画像に基づいて、シートに画像を印刷し、印刷ジョブの状態を中断状態にする。そして、Ｓ１９１５へ進む。
Ｓ１９１５で、機器制御部９０１は、大容量スタッカ２０４にスタックイジェクト要求を送信して、Ｓ１９１６に進む。
【０１１２】
Ｓ１９１６で、機器制御部９０１は、中断状態にしたジョブを再開し、続きのページのＲＩＰ画像に基づいて、シートに画像を印刷する。先ほどの例で言うと、５０１部目の１ページ目のＲＩＰ画像に基づいて、シートに画像を印刷し、本処理を終了する。
なお、Ｓ１９０３、Ｓ１９０６〜Ｓ１９１２については、第１実施形態のＳ１４０３、Ｓ１４０４〜Ｓ１４１０と同様であるため、説明を省略する。
以上のように、本発明によれば、スタックイジェクトの前後で同一ページのサンプルプリントの実行可否をオペレータが選択可能となる。
【０１１３】
なお、本実施形態において、第１実施形態と同様に、オペレータがスタックイジェクトを行う場合の処理は、大容量スタッカ２０４のボタン５０１が押下された処理に置き換えても良い。
【０１１４】
〔第４実施形態〕
本実施形態では、大容量スタッカ２０４のリフトテーブル５０８へ排紙中に、スタックイジェクト要求が行われた場合に、スタックイジェクト前のサンプルプリントを省略する例について説明する。具体的には、大容量スタッカ２０４から排出される印刷物において、最上位メディアの上面が印刷されている場合は、スタックイジェクト前のサンプルプリントを行わない例である。
【０１１５】
なお、本実施形態では、印刷ジョブは、オペレータが情報処理装置１０３の表示装置８０２にて、図１２の（Ａ）、図１２の（Ｂ）を使ってジョブ設定画面を設定した後、情報処理装置１０２へ印刷ジョブを送信したとして説明を行う。
まず、オペレータがスタックイジェクトを行う場合の処理については、第１実施形態と同様であるため、本実施例では説明を省略する。
【０１１６】
図２０は、本実施形態を示す印刷装置の制御方法を説明するフローチャートである。本例は、図１に示した印刷装置１０１にて実行される処理例である。本処理のステップは、ＲＯＭ６０７に格納された制御プログラムをＣＰＵ６０６が実行することで実現される。以後の説明はモジュールを主体として説明する。
また、Ｓ２００１〜Ｓ２００６の処理は、第１実施形態のＳ１４０１〜Ｓ１４０６と同様であるため、説明を省略する。
Ｓ２００７では、機器制御部９０１は、部の最終ページが上向き（上面状態）で印刷されているかを判断する。たとえば、機器制御部９０１は、図１２の（Ａ）の両面印刷設定１２０３、図１２の（Ｂ）の印刷向き設定１２０８、および印刷ジョブのページ数の情報を元に、部の最終ページが上向きで印刷されるか否かが判断できる。
具体的に、機器制御部９０１は、印刷ジョブのページ数が１０ページであり、両面印刷設定１２０３が「する」、印刷向き設定１２０８が「下向き」であれば、部の最終ページが上向きで印刷されると判断できる。または、機器制御部９０１は、印刷ジョブのページ数が９ページであり、両面印刷設定１２０３が「する」、印刷向き設定１２０８が「下向き」であれば、部の最終ページが下向きで印刷されると判断できる。このような判断を行い、機器制御部９０１が、部の最終ページが上向きで印刷されると判断した場合は、Ｓ２００９に進み、そうでない場合は、Ｓ２００８に進む。
Ｓ２００８〜Ｓ２０１１は、第１実施形態に示した図１４のＳ１４０７〜Ｓ１４１０と同様であるため、説明を省略する。
【０１１７】
以上のように、本実施形態によれば、大容量スタッカ２０４から排出される印刷メディアの最上位メディアの上面に、印刷がされていた場合は、スタックイジェクトの前のサンプルプリントを省略することができる。
オペレータは、スタックイジェクトされた印刷メディアの最上位メディアと、エスケープトレイ５０６に排出されたサンプルプリントを見比べることで色味変動の目視確認が可能となるので、印刷メディアを無駄に出力しないメリットがある。
なお、本実施形態に示す処理は、第２実施形態、第３実施形態についても同様に適用できる。
【０１１８】
具体的には、第２実施形態において、大容量スタッカ２０４から排出される印刷物において、最上位メディアの上面が印刷されている場合は、スタックイジェクト前のサンプルプリントを行わない例も実現できる。それは、図１７のＳ１７０６を図２０のＳ２００７、Ｓ２００８に置き換えることで実現できる。
【０１１９】
また、第３実施形態において、大容量スタッカ２０４から排出される印刷物において、最上位メディアの上面が印刷されている場合は、スタックイジェクト前のサンプルプリントを行わない例も実現できる。それは、図１９のＳ１９０９を図２０のＳ２００７、Ｓ２００８に置き換えることで実現できる。
【０１２０】
さらに、第４実施形態において、第１実施形態と同様に、オペレータがスタックイジェクトを行う場合の処理は、大容量スタッカ２０４のボタン５０１が押下された処理に置き換えても良い。
【０１２１】
〔第５実施形態〕
図２１は、図１に示した情報処理装置１０２の表示装置８０２に表示されるＵＩ画面の一例を示す図である。本ＵＩ画面は、ジョブ設定画面例である。
図２１の（Ａ）において、２１０１はジョブ設定項目を種類によってグループ化したタグであり、「一般」、「ジョブ情報」、「メディア」、「レイアウト」、「仕上げ」の５種類により構成されている。そして、図２１の（Ａ）では、「ジョブ情報」の設定項目が表示されている。
【０１２２】
「ジョブ情報」は、印刷ジョブ全体に関連する設定をまとめたタグである。部数設定２１０２は、印刷データを印刷する部数を設定する項目であり、図中では１０００部印刷するように設定されている。両面設定２１０３は、印刷データを両面印刷するか否かを設定する項目であり、図中では両面印刷するように設定されている。
【０１２３】
ＯＫボタン２１０４は、ジョブ設定画面で設定した内容をジョブ設定として決定するボタンである。キャンセルボタン２１０５は、ジョブ設定画面で設定した内容を破棄するボタンである。なお、ＯＫボタン２１０４およびキャンセルボタン２１０５を押下後、ジョブ設定画面は閉じられる。
図２１の（Ｂ）は、「仕上げ」の設定項目が表示したＵＩ画面例である。
【０１２４】
「仕上げ」は、排紙設定に関する設定をまとめたタグである。シフト設定２１０６のプルダウンメニューは、排紙時にシフトするか否かを設定する項目であり、図中では、シフトしない設定が選択されている。
【０１２５】
排紙先設定２１０７は、排紙先を選択する設定である。本設定は、「エスケープトレイ（不図示）」、「スタッカ内」の２種類から選択する設定であり、図中ではスタッカ内が選択されている。ここでスタッカ内とは、大容量スタッカ２０４のリフトテーブル５０８のことを意味する。
ＯＫボタン２１０４、およびキャンセルボタン２１０５については、図２１の（Ａ）での説明と同様であるため、説明を省略する。
【０１２６】
本実施形態では、大容量スタッカ２０４のリフトテーブル５０８へ排紙中に、リフトテーブル５０８に積載された印刷メディアを大容量スタッカ２０４から排出する要求（以後、スタックイジェクト要求と記載する）が行われた場合を説明する。
【０１２７】
本実施形態では、スタックイジェクト要求が、通常スタックイジェクト要求の場合に、サンプルプリントを自動的に実行する例について説明する。なお、通常スタックイジェクト要求とは、オペレータが、リフトテーブル５０８に出力中の印刷メディアを後工程（フィニッシングなど）に運ぶために、部の切れ目（区切）でスタックイジェクトを行う要求を表わす。また、緊急スタックイジェクト要求とは、オペレータが、印刷状態の変化などに気が付き、リフトテーブル５０８に出力中の印刷メディアを、部の切れ目に関係なく、緊急に排出したい場合に行う要求を表わす。
【０１２８】
本実施形態では、大容量スタッカ２０４のボタン５０１を押下した回数により、スタックイジェクト要求が異なる。具体的には、ボタン５０１を１回押下した場合は、通常スタックイジェクト要求であり、２回押下した場合は、緊急スタックイジェクト要求である。
【０１２９】
なお、本実施形態では、印刷ジョブは、オペレータが情報処理装置１０３の表示装置８０２にて、図２１の（Ａ）、図２１の（Ｂ）を使ってジョブ設定画面を設定した後、情報処理装置１０２へ印刷ジョブを送信したとして説明を行う。
図２２は、本実施形態を示す印刷装置の制御方法を説明するフローチャートである。本例は、図１に示した印刷装置１０１にて実行される処理例である。本処理のステップは、ＲＯＭ６０７に格納された制御プログラムをＣＰＵ６０６が実行することで実現される。以後の説明はモジュールを主体として説明する。
【０１３０】
Ｓ２２０１は、スタッカ制御部６１０はオペレータがボタン５０１を押下したか否かを判断する。スタッカ制御部６１０はオペレータがボタン５０１を押下したと判断した場合、スタッカ制御部６１０のボタン押下検知部７０９がさらに、ボタン押下回数を検知し、ＣＰＵ回路部６０５にて動作している機器制御部９０１へ押下回数を通知する。これにより、機器制御部９０１は、ボタン５０１の押下を検知すると、Ｓ２２０２に進み、検知していないと判断した場合はＳ２２０１に戻る。
Ｓ２２０２では、機器制御部９０１がボタン５０１の押下回数が１回であるかどうかを判断する。ここで、ボタン５０１の押下回数が１回であると判断した場合は、Ｓ２２０３へ進み、ボタン５０１の押下回数が１回でないと判断した場合は、Ｓ２２０４へ進む。
【０１３１】
Ｓ２２０３では、機器制御部９０１は、通常スタックイジェクト要求を発行して、本処理を終了する。また、Ｓ２２０４では、機器制御部９０１は、緊急スタックイジェクト要求を発行して、本処理を終了する。
【０１３２】
図２３は、本実施形態を示す印刷装置の制御方法を説明するフローチャートである。本例は、図１に示した印刷装置１０１にて実行される処理例である。本処理のステップは、ＲＯＭ６０７に格納された制御プログラムをＣＰＵ６０６が実行することで実現される。以後の説明はモジュールを主体として説明する。
【０１３３】
Ｓ２３０１で、機器制御部９０１は、スタックイジェクト要求の種別が通常スタックイジェクト要求であるかどうかを判断する。具体的には、図２２による処理で通知される情報で判断することができる。
ここで、スタックイジェクト要求の種別が通常スタックイジェクト要求であると判断した場合は、Ｓ２３０２へ進み、スタックイジェクト要求の種別が通常スタックイジェクト要求でないと判断した場合は、Ｓ２３０２へ進む。Ｓ２３０２で、機器制御部９０１は、スタックイジェクト要求の種別が緊急スタックイジェクト要求であるかどうかを判断する。
ここで、機器制御部９０６は、スタックイジェクト要求の種別が緊急スタックイジェクト要求でないと判断した場合は、Ｓ２３０１へ戻る。
一方、スタックイジェクト要求の種別が緊急スタックイジェクト要求であると判断した場合は、Ｓ２３０３へ進む。
【０１３４】
Ｓ２３０３では、機器制御部９０１は、印刷ジョブを実行することによって印刷されるシートがリフトテーブル５０８に排紙中であるか否かを判断する。具体的には、ジョブ制御部９０６は、現在印刷中のジョブが存在した場合、印刷中ジョブの排紙先設定１００７を確認することで、リフトテーブル５０８に排紙中か否かを判断することができる。
つまり、機器制御部９０１は、印刷中のジョブが無かった場合、および印刷中のジョブの排紙先設定１００７がエスケープトレイである場合は、Ｓ２３０４に進み、印刷中ジョブの排紙先設定１００７がスタック内である場合は、Ｓ２３０５に進む。
【０１３５】
Ｓ２３０４で、機器制御部９０１は、スタックイジェクト要求を発行して、本処理を終了する。その後、大容量スタッカ２０４にスタックイジェクト要求を送信する。そして、大容量スタッカ２０４は、スタックイジェクト要求を受信すると、スライドドア５０２を上方へ移動し、リフトテーブル５０８に積載された印刷メディアをイジェクトテーブル５０９に移し替えて、排出する制御を行う。
一方、Ｓ２３０５で、機器制御部９０１は、リフトテーブル５０８に排紙中の印刷ジョブを特定し、Ｓ２３０６へ進む。
【０１３６】
Ｓ２３０６で、機器制御部９０１は、Ｓ２３０１もしくはＳ２３０２にて受信したスタックイジェクト要求が、通常スタックイジェクト要求もしくは緊急スタックイジェクト要求のどちらかを判断する。ここで、緊急スタックイジェクト要求であると判断した場合は、Ｓ２３０７へ進み、通常スタックイジェクト要求であると判断した場合は、Ｓ２３０８へ進む。
【０１３７】
図２３の（Ｂ）は、Ｓ２３０７の緊急スタックイジェクト処理を詳細に記載したフローチャートである。
Ｓ２３０９では、機器制御部９０１は、Ｓ２３０５にて特定した印刷ジョブをキャンセルし、Ｓ２３１０へ進む。それによって印刷が停止される。
【０１３８】
Ｓ２３１０では、機器制御部９０１は、大容量スタッカ２０４にスタックイジェクト要求を送信して、本処理を終了する。なお、スタックイジェクト要求送信後の動作は、Ｓ２３０４にて記載済みのため、ここでは説明は省略する。
【０１３９】
図２３の（Ｃ）は、Ｓ２３０８の通常スタックイジェクト処理を詳細に記載したフローチャートである。
Ｓ２３１１で、機器制御部９０１は、特定した印刷ジョブに関して、部の切れ目まで印刷する処理行う。具体例をあげると、印刷ジョブが、画像データが１０ページであり１０００部印刷する設定だった場合、機器制御部９０１は、５００部目の１０ページ目までのＲＩＰ画像に基づいて、シートに画像を印刷する。
【０１４０】
Ｓ２３１２で、機器制御部９０１は、特定した印刷ジョブの最終ページのＲＩＰ画像を、ＨＤＤ６１３に保存し、Ｓ２３１３へ進む。
【０１４１】
Ｓ２３１３で、機器制御部９０１は、Ｓ２３０５にて特定した印刷ジョブをキャンセルし、Ｓ２３１４へ進む。
【０１４２】
Ｓ２３１４で、機器制御部９０１は、大容量スタッカ２０４にスタックイジェクト要求を送信して、Ｓ２３１５に進む。なお、スタックイジェクト要求送信後の動作は、Ｓ２３０４にて記載済みのため、説明は省略する。
【０１４３】
Ｓ２３１５で、機器制御部９０１は、保存した印刷ジョブの最終ページのＲＩＰ画像に基づいてシートに画像を印刷し、そのシートをエスケープトレイ５０６に出力し、Ｓ２３１６へ進む。
【０１４４】
Ｓ２３１６で、機器制御部９０１は、続きのページからジョブを再開する。前述の例を使うと、５０１部目の１ページ目から１０００部目の１０ページまで印刷ジョブを再投入して印刷を再開する。そして、本処理が完了すると、処理を終了する。
【０１４５】
以上のように、本発明によれば、通常スタックイジェクトの場合だけサンプルプリントを自動実行する。したがって、オペレータが後処理（フィニッシングなど）を行いたい印刷メディアに対してのみ、色味の確認を行うためのサンプルプリントが実行される。
【０１４６】
また、大容量スタッカ２０４のボタン５０１を押下しただけでサンプルプリントが自動実行されるため、オペレータが、手動で、サンプルプリントを行うための操作の手間を省くことができる。
【０１４７】
本実施形態では、通常スタックイジェクト要求、および緊急スタックイジェクト要求の受信後の処理を、印刷ジョブのキャンセルで実現している。そのため、ジョブの印刷とキャンセル以外の機能を持たない画像形成装置を使って処理が実現可能であるメリットがある。
【０１４８】
〔第６実施形態〕
本実施形態は、第５実施形態の通常スタックイジェクト処理を、印刷ジョブの中断で実現した例である。以下、本実施形態について、図２２、図２３の（Ａ）、図２３の（Ｂ）、図２４を使って説明する。しかし、図２２、図２３の（Ａ）、図２３の（Ｂ）、は、第５実施形態にて説明済のため、図２４のみ説明を行う。
【０１４９】
図２４は、本実施形態を示す印刷装置の制御方法を説明するフローチャートである。本例は、図１に示した印刷装置１０１にて実行される処理例である。本処理のステップは、ＨＤＤ６１３に格納された制御プログラムをＣＰＵ６０６が実行することで実現される。また、本実施形態に示す処理は、図２３の（Ａ）にて、Ｓ２３０８の処理に入ると、図２４に示す処理が実施される。
【０１５０】
Ｓ２４０１で、機器制御部９０１は、特定した印刷ジョブに関して、部の切れ目まで印刷する処理を行う。具体例をあげると、印刷ジョブが、画像データが１０ページであり１０００部印刷する設定だった場合、機器制御部９０１は、５００部目の１０ページ目までのＲＩＰ画像に基づいて、シートに画像を印刷し、特定した印刷ジョブの状態を中断状態にする。そして、Ｓ２４０２へ進む。
【０１５１】
Ｓ２４０２では、機器制御部９０１は、特定した印刷ジョブの最終ページのＲＩＰ画像を、ＨＤＤ６１３に保存するようにＲＩＰ処理部９０７へ指示を行い、Ｓ２４０３へ進む。Ｓ２４０３で、機器制御部９０１は、スタックイジェクト要求を発行して、Ｓ２４０４に進む。なお、スタックイジェクト要求送信後の動作は実施例１で記載済のため、ここでは説明は省略する。
【０１５２】
Ｓ２４０４で、機器制御部９０１は、保存した印刷ジョブの最終ページのＲＩＰ画像に基づいてシートに画像を印刷し、エスケープトレイ５０６に排紙し、Ｓ２４０５へ進む。
【０１５３】
Ｓ２４０５で、機器制御部９０１は、Ｓ２４０１にて中断状態にしたジョブを再開し、続きのページのＲＩＰ画像に基づいて、シートに画像を印刷する。先ほどの例で言うと、印刷装置１０１は、５０１部目の１ページ目以降のＲＩＰ画像に基づいてシートに画像を印刷し、、処理を完了する。
本実施形態によれば、第５実施形態と比較すると、ジョブの中断状態を使って処理を行うので、印刷ジョブのキャンセルに比べて、ジョブの再開に要する処理時間が短いメリットがある。
【０１５４】
〔第７実施形態〕
本実施形態では、第５実施形態の緊急スタックイジェクト処理を、印刷ジョブの中断もしくはキャンセルのどちらかを選択可能とした例である。
【０１５５】
図２５は、図１に示した情報処理装置１０２の表示装置８０２に表示されるＵＩ画面の一例を示す図である。本ＵＩ画面は、緊急スタックイジェクト時のジョブの取り扱い画面例である。
図２５において、中断ボタン２５０１は緊急スタックイジェクト要求受信時に、該当ジョブを中断する設定を行うボタンである。また、キャンセルボタン２５０２は緊急スタックイジェクト要求受信時に、該当ジョブをキャンセルする設定を行うボタンである。中断ボタン２５０１とキャンセルボタン２５０２は、二者択一の設定であり、同時に設定できないようになっている。
【０１５６】
決定ボタン２５０３は、中断ボタン２５０１とキャンセルボタン２５０２のどちらを選択したかを決定するボタンである。決定ボタン２５０３が押下されると、ＵＩ処理部９０５は、情報処理装置１０２のＨＤＤ８０９に、どちらが選択されたかを保存する。破棄ボタン２５０４は、中断ボタン２５０１とキャンセルボタン２５０２の選択を破棄し、情報処理装置１０２のＨＤＤ８０９に保存しない場合に押下するボタンである。
本実施形態では、図２３の（Ｂ）に示した処理に代えて、図２６に示す処理が実行される。以後、本実施形態について、図２５、図２２、図２３の（Ａ）、図２６、図２３の（Ｃ）を使って説明する。しかし、図２２、図２３の（Ａ）、図２３の（Ｃ）は、第５実施形態にて説明済のため、図２５、図２６のみ説明を行う。
【０１５７】
図２６は、本実施形態を示す印刷装置の制御方法を説明するフローチャートである。本例は、図１に示した印刷装置１０１にて実行される処理例である。本処理のステップは、ＨＤＤ６０７に格納された制御プログラムをＣＰＵ６０６が実行することで実現される。
本実施形態は、図２３の（Ａ）にて、Ｓ２３０７の処理に入ると、図２６の処理のフローチャートが実施される。
【０１５８】
Ｓ２６０１では、機器制御部９０１は、図２５に示す緊急スタックイジェクト時のジョブの取り扱い画面にて設定した値を読み出し、その後の処理を決定する。具体的には、機器制御部９０１は、ＵＩ処理部９０５で決定ボタン１４０３を押下された時に、ＨＤＤ６１３に保存した値を読み出す。そして、その保存値が、中断であると機器制御部９０１が判断した場合はＳ２６０２に進み、キャンセルであると機器制御部９０１が判断した場合は、Ｓ２６０７に進む。
【０１５９】
なお、Ｓ２６０２〜Ｓ２６０６の処理については、第６実施形態のＳ２４０１〜Ｓ２４０５と同様であるので、説明を省略する。また、Ｓ２６０７、Ｓ２６０８の処理についても、第５実施形態に示したＳ２３０９、Ｓ２３１０と同様であるため説明を省略する。
【０１６０】
以上のように、本実施形態によれば、緊急スタックイジェクトの処理をオペレータが選択可能となる。具体的には、緊急スタックイジェクト時にジョブ中断する場合は、サンプルプリントを自動実行し、緊急スタックイジェクト時にジョブをキャンセルする場合は、サンプルプリントを行わないため、運用の自由度が向上するメリットがある。
なお、上述した実施形態では、情報処理装置１０２と印刷装置１０１が別体である例を説明したが、これらは一体型の装置として構成されていても良い。その場合、上述したＵＩ画面を印刷装置１０１の操作部が有する表示部に表示することになる。また、情報処理装置１０３と情報処理装置１０２と印刷装置１０１とが一体型の装置として構成されていても良い。
【０１６１】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【０１６２】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【０１６３】
１０１    印刷装置
１０２    情報処理装置
１０３    情報処理装置
１０４    ネットワーク
２０１    外部給紙装置
２０２    外部給紙装置
２０３    画像形成装置
２０４    大容量スタッカ
【図１】
2014218043.tif 000003
【図２】
2014218043.tif 000004
【図３】
2014218043.tif 000005
【図４】
2014218043.tif 000006
【図５】
2014218043.tif 000007
【図６】
2014218043.tif 000008
【図７】
2014218043.tif 000009
【図８】
2014218043.tif 000010
【図９】
2014218043.tif 000011
【図１０】
2014218043.tif 000012
【図１１】
2014218043.tif 000013
【図１２】
2014218043.tif 000014
【図１３】
2014218043.tif 000015
【図１４】
2014218043.tif 000016
【図１５】
2014218043.tif 000017
【図１６】
2014218043.tif 000018
【図１７】
2014218043.tif 000019
【図１８】
2014218043.tif 000020
【図１９】
2014218043.tif 000021
【図２０】
2014218043.tif 000022
【図２１】
2014218043.tif 000023
【図２２】
2014218043.tif 000024
【図２３】
2014218043.tif 000025
【図２４】
2014218043.tif 000026
【図２５】
2014218043.tif 000027
【図２６】
2014218043.tif 000028